(57)【要約】【課題】ユーザメニューの設定項目における設定値調整を容易に素早く行える設定値調整機能付き電子機器、映像調整機能付き映像表示装置を提供することを目的とする。【解決手段】メインウィンドウに視聴映像が表示されている状態で、リモコンのメニューキーを押すと、設定メニュー画面がオンスクリーン表示され（ステップＳ１）、所望の項目を選択すると（ステップＳ２）、設定値調整用のサブウィンドウが表示される（ステップＳ３）。テンキーを押した場合、設定値があらかじめ対応付けられた値にダイレクトに変更され（ステップＳ６）、その変更がサブウィンドウ内の視聴映像に反映される（ステップＳ７）。増減（＋−）キーを押すと直前の設定値がリニアに増加又は減少し（ステップＳ８）、その変化がサブウィンドウ内の視聴映像に反映する（ステップＳ９）。【選択図】図１２
2007325062.tif 000002
【特許請求の範囲】
【請求項１】
ユーザーのキー操作に基づいて設定項目の設定値を調整することが可能な設定値調整機能付き電子装置であって、
ユーザーのキー操作により入力された設定値変更情報に基づいて記憶手段に記憶されている当該設定項目の設定値を変更すると共に、設定値の変更を被制御対象に反映させる設定処理手段を備え、該設定処理手段は、前記設定値変更情報がテンキーの入力操作による数字コード信号であった場合にそれまでの設定値を今回の数字コード信号に対応した値に設定値をダイレクトに変更することを特徴とする設定値調整機能付き電子装置。
【請求項２】
前記設定処理手段は、前記設定値変更情報が増減キーの入力操作によるパルス列信号であった場合には当該入力操作が継続している間、入力操作直前の設定値をリニアに増加又は減少させること特徴とする請求項１に記載の設定値調整機能付き電子装置。
【請求項３】
前記設定項目は、音声回路における音量調整であることを特徴とする請求項２に記載の設定値調整機能付き電子装置。
【請求項４】
前記設定項目は、音声回路における音質調整であることを特徴とする請求項２又は３に記載の設定値調整機能付き電子装置。
【請求項５】
ユーザーのキー操作に基づいて設定項目の設定値を変更することが可能な設定値調整機能付き映像表示装置であって、
ユーザーのキー操作により入力された設定値変更情報に基づいて記憶手段に記憶されている当該設定項目の設定値を変更すると共に、設定値の変更を被制御対象に反映させる設定処理手段を備え、該設定処理手段は、前記設定値変更情報がテンキーの入力操作による数字コード信号であった場合にそれまでの設定値を今回の数字コード信号に対応した値に設定値をダイレクトに変更することを特徴とする設定値調整機能付き映像表示装置。
【請求項６】
前記設定処理手段は、前記設定値変更情報が増減キーの入力操作によるパルス列信号であった場合には当該入力操作が継続している間、入力操作直前の設定値をリニアに増加又は減少させることを特徴とする請求項５に記載の設定値調整機能付き映像表示装置。
【請求項７】
設定項目が映像調整に関するものである場合、設定値調整用画面をメインウィンドウの所定領域にサブウィンドウとして表示するようにしたことを特徴とする請求項６に記載の設定値調整機能付き映像表示装置。
【請求項８】
前記サブウィンドウにはメインウィンドウと同じ映像が表示されることを特徴とする請求項７に記載の設定値調整機能付き映像表示装置。
【請求項９】
前記メインウィンドウおよび前記サブウィンドウには視聴映像が表示されることを特徴とする請求項８に記載の設定値調整機能付き映像表示装置。
【請求項１０】
前記設定値調整用画面には設定項目名および設定値調整用の数値バーがオンスクリーン表示されることを特徴とする請求項７から９のいずれかに記載の設定値調整機能付き映像表示装置。
【請求項１１】
前記サブウィンドウのサイズおよび／または位置を、増減キー又は十字キーの入力操作により連続的に変更させることができるようにしたことを特徴とする請求項７から１０のいずれかに記載の設定値調整機能付き映像表示装置。
【請求項１２】
前記サブウィンドウのサイズおよび／または位置を、テンキーの入力操作により、あらかじめテンキーの数字に対応付けられたサイズ、位置にダイレクトに変更することができるようにしたことを特徴とする請求項７から１１のいずれかに記載の設定値調整機能付き映像表示装置。
【発明の詳細な説明】
【技術分野】
【０００１】
本発明は、電子装置および映像表示装置に関するもので、特に、設定項目の設定値を調整する機能を備えた設定値調整機能付き電子装置および設定値調整機能付き映像表示装置に係るものである。
【背景技術】
【０００２】
従来、電子装置、例えばテレビジョン受像機などの映像表示装置において、コントラスト、輝度、彩度、色濃度などの設定値を調整する場合、特許文献１にみられるように、設定値調整用の数値バーを表示させた後、所望の設定値になるまでリモコンあるいは装置本体の十字キーや増減キーを押しつづけることにより行っていた。
【特許文献１】特開平０５−２３６３７２号公報
【発明の開示】
【発明が解決しようとする課題】
【０００３】
しかし、上述した従来の技術は、設定値を１ポイントずつの増減でしか調整できなかった。そのため、その調整項目がどのような変化をするのかを確認する場合にも、ひたすら１ポイントずつの増減を繰り返す必要があった。また、１ポイントずつの増減による調整は非常に時間がかかる上、調整の変化を確認したあとに、元の状態に戻すのにも時間がかかった。
本発明は、このような現状に鑑みてなされてもので、各種の電子装置や映像表示装置における各種の設定値を素早く所望のレベルに変更可能にすることを目的としたものである。
【課題を解決するための手段】
【０００４】
本発明は、上記の課題を解決するために、以下の技術手段を備えている。
第１の技術手段は、ユーザーのキー操作に基づいて設定項目の設定値を調整することが可能な設定値調整機能付き電子装置であって、ユーザーのキー操作により入力された設定値変更情報に基づいて記憶手段に記憶されている当該設定項目の設定値を変更すると共に、設定値の変更を被制御対象に反映させる設定処理手段を備え、該設定処理手段は、前記設定値変更情報がテンキーの入力操作による数字コード信号であった場合にそれまでの設定値を今回の数字コード信号に対応した値に設定値をダイレクトに変更することを特徴としたものである。
【０００５】
第２の技術手段は、第１の技術手段において、前記設定処理手段は、前記設定値変更情報が増減キーの入力操作によるパルス列信号であった場合には当該入力操作が継続している間、入力操作直前の設定値をリニアに増加又は減少させること特徴としたものである。
【０００６】
第３の技術手段は、第２の技術手段において、前記設定項目は、音声回路における音量調整であることを特徴としたものである。
【０００７】
第４の技術手段は、第２又は第３の技術手段において、前記設定項目は、音声回路における音質調整であることを特徴としたものである。
【０００８】
第５の技術手段は、ユーザーのキー操作に基づいて設定項目の設定値を変更することが可能な設定値調整機能付き映像表示装置であって、ユーザーのキー操作により入力された設定値変更情報に基づいて記憶手段に記憶されている当該設定項目の設定値を変更すると共に、設定値の変更を被制御対象に反映させる設定処理手段を備え、該設定処理手段は、前記設定値変更情報がテンキーの入力操作による数字コード信号であった場合にそれまでの設定値を今回の数字コード信号に対応した値に設定値をダイレクトに変更することを特徴としたものである。
【０００９】
第６の技術手段は、第５の技術手段において、前記設定処理手段は、前記設定値変更情報が増減キーの入力操作によるパルス列信号であった場合には当該入力操作が継続している間、入力操作直前の設定値をリニアに増加又は減少させることを特徴としたものである。
【００１０】
第７の技術手段は、第６の技術手段において、設定項目が映像調整に関するものである場合、設定値調整用画面をメインウィンドウの所定領域にサブウィンドウとして表示するようにしたことを特徴としたものである。
【００１１】
第８の技術手段は、第７の技術手段において、前記サブウィンドウにはメインウィンドウと同じ映像が表示されることを特徴としたものである。
【００１２】
第９の技術手段は、第８の技術手段において、前記メインウィンドウおよび前記サブウィンドウには視聴映像が表示されることを特徴としたものである。
【００１３】
第１０の技術手段は、第７から第９のいずれかの技術手段において、前記設定値調整用画面には設定項目名および設定値調整用の数値バーがオンスクリーン表示されることを特徴としたものである。
【００１４】
第１１の技術手段は、第７から第１０のいずれかの技術手段において、前記サブウィンドウのサイズおよび／または位置を、増減キー又は十字キーの入力操作により連続的に変更させることができるようにしたことを特徴としたものである。
【００１５】
第１２の技術手段は、第７から第１１のいずれかの技術手段において、前記サブウィンドウのサイズおよび／または位置を、テンキーの入力操作により、あらかじめテンキーの数字に対応付けられたサイズ、位置にダイレクトに変更することができるようにしたことを特徴としたものである。
【発明の効果】
【００１６】
本発明によれば、設定値の調整を数値でダイレクトに変更するようにしたので、メニュー項目等の変化を一瞬で確認することができ、ユーザー自身が希望する状態に調整しやすくなる。また、設定値の調整を短時間で行うことができ、元に戻す場合にも時間がかからない。さらに、従来通り１ポイントずつのリニア調整（変化）もできるので、ダイレクト調整と併用することで希望通りの調整を効率良く行うことできる。
また、調整用画面を表示するサブウィンドウの位置やサイズを自由に変更できるようになっていることから、設定値の調整を数値でダイレクトに変更して調整効果を確認する際に、比較ポイントを近づけて視線の移動量を最低限に抑えて比較することができ、確実な調整が可能になる。さらに、サブウィンドウのサイズと位置も数値キーでダイレクトに変更することが可能なので、そのときの視聴映像に応じてサブウィンドウの位置とサイズを素早く最適なものに変更することができる。
また、調整項目の変化を、位置、サイズが変更可能なサブウィンドウで確認できることにより、現在の視聴に支障をきたさない。
【発明を実施するための最良の形態】
【００１７】
以下、本発明の実施の形態を、図面を参照しながら説明する。図１は、本発明をテレビジョン受像機に適用した場合の一例を示す。テレビジョン受像機１が備えている各種の機能を制御する制御部１０には、ユーザーのキー操作により発生する操作部又はリモコン受信部１１からの信号が入力される。ユーザーの選択により選局されたチューナ１２からのテレビジョン放送信号は映像中間周波・検波回路１３によりビデオ信号が検波され、検波されたビデオ信号又は外部入力端子からの入力されるビデオ信号は、ビデオセレクタ１４を介してＹ／Ｃ分離回路１５に入力される。Ｙ／Ｃ分離回路１５に入力されたビデオ信号は、輝度信号と色差信号に分離されてからＡ／Ｄ変換部１６によりデジタルデータに変換され、主画面映像処理回路部１７と調整画面用映像処理部１８に入力される。
主画面映像処理回路部１７は視聴映像を表示するためにカラー映像データに対する所定の処理を行う。調整画面用映像処理部１８は制御部１０からの制御信号に応じてサブウィンドウに視聴映像を表示するための画面サイズの圧縮処理を行うほか、主画面映像処理回路部１７と同様の処理も行う。
【００１８】
画面挿入回路部１９は、映像調整モードでメインウィンドウにサブウィンドウを挿入するための処理を行う。マトリクス回路部２０は、画面挿入回路部１９からの映像データを表示特性設定回路部２１で設定されている表示特性データを加えてＲＧＢデータに変換する。合成映像生成部２２では、マトリクス回路部２０からのＲＧＢデータとオンスクリーン表示画像生成部２３からの設定メニュー画面やサブウィンドウ内に数値バーと設定用画面を映し出すオンスクリーン画像データとを合成して１画面としての画像データを生成する。合成映像生成部２２で合成された映像データはＤ／Ａ変換部２４でアナログ信号に変換され表示部に出力される。
【００１９】
次に、本発明を適用した図１のテレビジョン受像機における設定値調整について、画質調整の一つであるコントラスト調整の場合を例に説明する。なお、以下の操作はリモコンを用いて行うこととし、リモコンにはメニューキー、テンキー、増減（＋−）キー、決定キー、十字キー、戻るキーなどが設けられているものとする。
先ず、メインウィンドウに視聴映像が表示されている状態でメニューキーを押すとメニュー項目画面がオンスクリーン表示される（図２）。このメニュー項目画面に対し十字キーを操作して「コントラスト」の項目を反転表示させて決定キーを押下するとコントラスト調整用の画面がサブウィンドウとして表示される（図３）。この調整用画面には図示のように選択した項目名と数値バーがオンスクリーン表示される。
【００２０】
この表示画面でユーザーがテンキーから所望の数字を入力すると、制御部１０はその数字情報をダイレクト調整信号として表示特性設定回路部２１に送る。表示特性設定回路部２１は、あらかじめ対応付けられたコントラスト調整用の対応テーブルを参照してその数字データを対応する数値に変換し、その数値をコントラスト調整の設定値データとして回路内のメモリに記憶すると共に、その設定値によりサブウィンドウに表示されている視聴映像のコントラストを決定するための処理を行う。サブウィンドウにおけるコントラスト以外の表示特性およびメインウィンドウにおける表示特性については当該回路内の不揮発性メモリに保存されている設定値により決定される。
【００２１】
したがって、例えばコントラストの設定レベルを０から９の１０段階に設定しておくことにより、テンキーから“９”を入力するとサブウィンドウに表示されている視聴映像のコントラストは瞬時に最大レベルになり、“０”を入力すれば瞬時に最小レベルに変化させることができる。
また、テンキーでダイレクト調整を実行した後、増減キーを操作すると、それによって発生するパルス列信号により、直前に行ったダイレクト調整による設定値がリニアに増加又は減少し、その変化がリアルタイムでサブウィンドウの視聴映像に反映される。
【００２２】
図４は、サブウィンドウの位置、サイズを変更する場合の表示例を示したもので、所定のキーを押下することによりサブウィンドウの位置、サイズを変更するモードになり、「位置」が反転表示されている状態で決定キーを押下すると図５のメッセージが表示され、十字キーを操作することでサブウィンドウの位置を上下左右に移動させることができる。この場合もあらかじめ数値との対応テーブルを用意しておくことにより、テンキーによって瞬時にその位置を変更することも可能になっている。
【００２３】
サブウィンドウを所望の位置に移動し終えたら、戻るキーを押下すると図４の画面に戻るので、サイズを変更する場合は十字キーを操作して「サイズ」を反転表示させて決定キーを押下すると図６の画面になり、増減キーでサブウィンドウのサイズを変更することができる。位置変更の場合と同様に、この場合もテンキーによって瞬時に変更することもできる。
また、図４の表示画面で、「２」を押すと図７に示すように、メインウィンドウの右半分に調整画面としてのサブウィンドウが表示され、メインウィンドウに表示されている視聴映像の左半分が表示される。このようにすると同じ映像で比較できるのでさらにその調整の効果が分かり易くなる。人の顔の部分などの比較ポイントが離れていると視線の移動量が多くなり比較し難くいので、そのような場合は十字キーを操作して図８に示すようにサブウィンドウを左側に移動する。図９に示すように、サブウィンドウのサイズを小さくすることによっても比較したい部分を近づけることができる。
【００２４】
図１０は、本発明による設定値調整機能をブロック図で表したもので、制御部３０は図１の制御部１０に対応しており、項目選択部３１は、図２の設定メニュー画面からリモコンで項目を選択する機能に相当し、項目が選択されて後、リモコンからテンキーを操作した場合はダイレクト調整信号として数字コードが制御部３０に入力され、増減キーを操作した場合はリニア調整信号としてパルス列信号が制御部３０に入力される。設定回路３４は制御部３０からの信号に基づいて調整対象となっている項目の設定値をダイレクトに又はリニアに調整する。
【００２５】
図１１は、本発明におけるサブウィンドウのサイズと位置を変更する場合の機能ブロック図を表したもので、同じく制御部４０は図１の制御部１０に対応しており、位置調整モードにおいて、テンキー操作により発生するダイレクト調整信号４１、又は十字キー操作により発生するリニア調整信号４２は一旦位置変更部４３に入力され、位置変更部４３はそれぞれの調整信号に応じてサブウィンドウのＸ座標、Ｙ座標を計算し、その結果を制御部４０に入力する。制御部４０はその座標情報をサブウィンドウの形成処理を行っている画面挿入回路部４７に送る。
【００２６】
サイズ変更モードの場合も同様にテンキーを操作した場合はダイレクト調整信号４４、増減キーを操作した場合はリニア調整信号４５として一旦サイズ変更部４６に入力し、位置変更部４６はそれぞれの調整信号に応じてサブウィンドウのサイズを計算あるいはテーブルを利用して決定し、その結果を制御部４０に入力する。制御部４０はそのサイズ情報をサブウィンドウの形成処理を行っている画面挿入回路部４７に送る。
【００２７】
図１２は、本発明による設定値調整のフローチャートを示したものである。
以下、映像調整を行う場合を例にして説明すると、メインウィンドウに視聴映像が表示されている状態で、リモコンのメニューキーを押すと図２の設定メニュー画面がオンスクリーン表示され（ステップＳ１）、十字キーで所望の項目を選択して決定キーを押下すると（ステップＳ２）、図３の設定値調整用のサブウィンドウが表示され（ステップＳ３）、設定値調整入力モードになる。ステップ４のキー操作でテンキーを押した場合、ステップ５でそれを判断し、ステップ６に進んでダイレクト調整信号として設定値を変更し、その変更をサブウィンドウ内の視聴映像に反映して（ステップＳ７）ステップ４に戻る。ここで、増減キーを押すとステップ５でそれが判断されてステップ８に進み、リニア調整信号として設定値を変更し、その変更をサブウィンドウ内の視聴映像に反映して（ステップＳ９）ステップ４に戻る。
【００２８】
その項目の調整が終わり、決定キーが押されるとステップ４でそれが判断されてステップ１０に進み、表示特性設定回路部２１に設けられている不揮発性メモリに保存されている設定値を変更後の値に書き換え、ステップ１１でその変更をメインウィンドウの視聴映像にも反映させる。
引き続き別の項目を設定する場合は戻るキーを押すと（ステップＳ１２／Ｙ）、ステップ２に戻り、図２の設定メニュー画面で別の項目を選択する。設定を終了する場合は例えばメニューキーを押下するとステップ１３に進み、サブウィンドウを閉じて設定調整モードを終了する。
【００２９】
以上、映像調整におけるコントラスト調整を例に説明したが、本発明による設定値のダイレクト調整は映像調整だけでなく、例えば、音声回路における高音レベルや低音レベルなどの音質調整に適用してもよく、音量レベル調整に適用することもできる。
なお、サブウィンドウのサイズ変更や位置調整についても、基本的に同じようなフローで実現できるので説明は省略する。
【図面の簡単な説明】
【００３０】
【図１】本発明をテレビジョン受像機に適用した場合の一実施形態を示すブロック構成図である。
【図２】メインウィンドウ内に設定メニュー画面がオンスクリーン表示された画面表示例を示す図である。
【図３】設定項目としてコントラスト調整を選択したときのサブウィンドウを拡大して表した画面表示例を示す図である。
【図４】サブウィンドウの位置やサイズを変更する場合のメッセージをオンスクリーン表示している画面表示例を示す図である。
【図５】サブウィンドウの位置を十字キーで調整可能であるメッセージをオンスクリーン表示している画面表示例を示す図である。
【図６】サブウィンドウのサイズを増減キーで調整可能であるメッセージをオンスクリーン表示している画面表示例を示す図である。
【図７】画面右半分にサブウィンドウを表示している画面表示例を示す図である。
【図８】図７に示すサブウィンドウを左に移動させ、比較対象を近づけた場合の画面表示例を示す図である。
【図９】サブウィンドウのサイズを小さくして比較対象を近づけた場合の画面表示例を示す図である。
【図１０】本発明による設定値調整機能をブロック図で表したものである。
【図１１】本発明におけるサブウィンドウのサイズと位置を変更する場合の機能ブロック図を表したものである。
【図１２】本発明によるダイレクト調整の動作フローの一例を示した図である。
【符号の説明】
【００３１】
１０…制御部、１７…主画面映像処理回路部、１８…調整画面用映像処理回路部、１９…２画面挿入回路部、２１…表示特性設定回路部、２２…合成映像生成部、２３…オンスクリーン表示画像生成部。
【図１】
2007325062.tif 000003
【図２】
2007325062.tif 000004
【図３】
2007325062.tif 000005
【図４】
2007325062.tif 000006
【図５】
2007325062.tif 000007
【図６】
2007325062.tif 000008
【図７】
2007325062.tif 000009
【図８】
2007325062.tif 000010
【図９】
2007325062.tif 000011
【図１０】
2007325062.tif 000012
【図１１】
2007325062.tif 000013
【図１２】
2007325062.tif 000014